(57)【要約】【課題】CPUモジュール又は入出力モジュールを部分的に増設することが可能なサーバ装置及びその筐体を提供する。【解決手段】FTサーバ1の筐体のスロットS1〜S3内にCPUモジュール用コネクタ11_1、IOモジュール用コネクタ12_1、及びCPU／IOモジュール兼用コネクタ13をそれぞれ設け、バックパネル10によりコネクタ11_1、12_1、及び13を電気的に接続する。スロットS1からCPUモジュール20_1を挿入してCPUモジュール用コネクタ11_1に接続し、スロットS2からIOモジュール30_1を挿入してIOモジュール用コネクタ12_1に接続する。また、スロットS3からCPUモジュール20_2又はIOモジュール30_2を択一的に挿入してCPU／IOモジュール兼用コネクタ13に接続する。【選択図】図１
2009187172.tif 000002
【特許請求の範囲】
【請求項１】
第１〜第３のスロットと、
前記第１〜第３のスロット内にそれぞれ設けた第１〜第３のコネクタと、
前記第１〜第３のコネクタを電気的に接続する基板と、
前記第１のスロットから挿入して前記第１のコネクタに接続したＣＰＵモジュールと、
前記第２のスロットから挿入して前記第２のコネクタに接続した入出力モジュールと、
を備え、前記第３のスロットから択一的に挿入される前記ＣＰＵモジュール又は入出力モジュールを前記第３のコネクタに接続可能にしたサーバ装置。
【請求項２】
請求項１において、
前記基板が、前記ＣＰＵモジュール及び入出力モジュールが少なくとも１組装着された基板を増設するためのコネクタを有することを特徴としたサーバ装置。
【請求項３】
請求項１において、
前記基板が、前記ＣＰＵモジュール及び入出力モジュールがそれぞれ少なくとも１つ装着された基板を増設するためのコネクタを有することを特徴としたサーバ装置。
【請求項４】
請求項１において、
前記基板が、前記ＣＰＵモジュール又は入出力モジュールが少なくとも１つ装着された基板を増設するためのコネクタを有することを特徴としたサーバ装置。
【請求項５】
第１〜第３のスロットと、
前記第１のスロット内に設けたＣＰＵモジュール接続用の第１のコネクタと、
前記第２のスロット内に設けた入出力モジュール接続用の第２のコネクタと、
前記第３のスロット内に設けた、前記ＣＰＵモジュール又は入出力モジュールを択一的に接続可能な第３のコネクタと、
前記第１〜第３のコネクタを電気的に接続する基板と、
を備えたサーバ装置の筐体。
【請求項６】
請求項５において、
前記基板が、前記ＣＰＵモジュール及び入出力モジュールが少なくとも１組装着された基板を増設するためのコネクタを有することを特徴としたサーバ装置の筐体。
【請求項７】
請求項１において、
前記基板が、前記ＣＰＵモジュール及び入出力モジュールがそれぞれ少なくとも１つ装着された基板を増設するためのコネクタを有することを特徴としたサーバ装置。
【請求項８】
請求項１において、
前記基板が、前記ＣＰＵモジュール又は入出力モジュールが少なくとも１つ装着された基板を増設するためのコネクタを有することを特徴としたサーバ装置。
【発明の詳細な説明】
【技術分野】
【０００１】
本発明は、サーバ装置及びその筐体に関し、特にフォールトトレラント機能を実現するサーバ装置(以下、FTサーバと呼称することがある)及びその筐体に関する。
【背景技術】
【０００２】
従来のFTサーバは、その筐体内に、プロセッサやメモリ等から成るCPUモジュールと、各種のIOデバイスから成る入出力モジュールとを搭載したコンピュータハードウェアを２重又は３重に備えており、各コンピュータハードウェアが同期を取りながら同一処理を実行する。従って、或るコンピュータハードウェアに障害が発生した場合であっても、他のコンピュータハードウェアが継続して処理を実行するため、FTサーバは停止すること無く稼働を続けることが可能である(例えば、特許文献1参照)。
【０００３】
なお、このようなサーバ装置の信頼性や動作性能を向上させるための関連技術として、以下に説明する関連技術１及び２が知られている。
【０００４】
[関連技術１]
２重化したコンピュータハードウェア(運用装置及びホットスタンバイ状態の予備装置)に対して共通に設けた冷却ファンを、前記コンピュータハードウェアの両電源のＯＲを取った電源で駆動する電源供給方式(例えば、特許文献2)。
【０００５】
[関連技術２]
バックパネルに設けたバス配線の終端可変抵抗器の抵抗値を、前記バックパネルに対するコンピュータハードウェア(機能回路)の接続状態、すなわち、コンピュータハードウェアの接続数や、コンピュータハードウェア内の信号入出力回路(バッファ素子)及びこれをバス配線に接続するためのスタブ配線の容量等に応じて変更する終端抵抗制御型バスシステム(例えば、特許文献3)。
【特許文献１】特開２００６−１７８６１６号公報
【特許文献２】特開平３−７３０１２号公報
【特許文献３】特開平１０−１９８４７３号公報
【発明の開示】
【発明が解決しようとする課題】
【０００６】
しかしながら、従来のFTサーバ(上記の関連技術１及び２を適用したものを含む)は、コンピュータハードウェア全体を２重又は３重に装着する構造であるため、使用者が必要とする可用性に応じたCPUモジュール又は入出力モジュールの部分的な増設を行うことができず(すなわち、使用者の意に反して不要なモジュールが増設されてしまい)高価であった。また、筐体もコンピュータハードウェアの２重化又は３重化の最大構成に合わせてサイズ設計されており、その設置場所に大きな面積を必要としていた。
【０００７】
従って、本発明は、CPUモジュール又は入出力モジュールを部分的に増設することが可能なサーバ装置及びその筐体を提供することを目的とする。
【課題を解決するための手段】
【０００８】
上記の目的を達成するため、本発明の一態様に係るサーバ装置は、第１〜第３のスロットと、前記第１〜第３のスロット内にそれぞれ設けた第１〜第３のコネクタと、前記第１〜第３のコネクタを電気的に接続する基板と、前記第１のスロットから挿入して前記第１のコネクタに接続したＣＰＵモジュールと、前記第２のスロットから挿入して前記第２のコネクタに接続した入出力モジュールとを備え、以て前記第３のスロットから択一的に挿入される前記ＣＰＵモジュール又は入出力モジュールを前記第３のコネクタに接続可能にしている。
【０００９】
また、本発明の一態様に係るサーバ装置の筐体は、第１〜第３のスロットと、前記第１のスロット内に設けたＣＰＵモジュール接続用の第１のコネクタと、前記第２のスロット内に設けた入出力モジュール接続用の第２のコネクタと、前記第３のスロット内に設けた、前記ＣＰＵモジュール又は入出力モジュールを択一的に接続可能な第３のコネクタと、前記第１〜第３のコネクタを電気的に接続する基板とを備える。
【発明の効果】
【００１０】
本発明によれば、使用者がCPUモジュール又は入出力モジュールを自由に選択して増設することができるため、不要なモジュールのハードウェア部品を削減し、以て従来のサーバ装置よりも廉価且つ小型なサーバ装置を構築することが可能である。
【発明を実施するための最良の形態】
【００１１】
以下、本発明に係るサーバ装置及びその筐体の実施の形態１及び２を、図1及び図2をそれぞれ参照して説明する。なお、各図面において、同一要素には同一の符号が付されており、説明の明確化のため、必要に応じて重複説明は省略される。
【００１２】
[実施の形態１]
図1に示す本実施の形態に係るFTサーバ1は、その筐体(図示せず)に３つのスロットS1〜S3を有する。また、バックパネル10には、CPUモジュールを接続するためのコネクタ(以下、CPUモジュール用コネクタ)11_1、入出力モジュール(以下、IOモジュール)を接続するためのコネクタ(以下、IOモジュール用コネクタ)12_1、並びにCPUモジュール又はIOモジュールを択一的に接続可能な兼用コネクタ(以下、CPU／IOモジュール兼用コネクタ)13がそれぞれスロットS1〜S3内に位置するように設けられている。なお、図示されないが、これらのコネクタ11_1、12_1、及び13は、バックパネル10上に設けたバス配線により相互に接続されている。
【００１３】
ここで、CPU／IOモジュール兼用コネクタ13は、図示の如く、上記のコネクタ11_1及び12_1と同様のCPUモジュール用コネクタ11_2及びIOモジュール用コネクタ12_2を一体化して形成したものである。
【００１４】
また、本実施の形態に用いるCPUモジュール20_1及び20_2(以下、符号20で総称することがある)は、それぞれ、プロセッサ21、ノースブリッジ22、メモリ22、FT制御チップ24、並びにCPUモジュール用コネクタ11_1及び11_2に接続するためのコネクタ25_1及び25_2を備えている。また、本実施の形態に用いるIOモジュール30_1及び30_2(以下、符号30で総称することがある)は、それぞれ、FT制御チップ31、サウスブリッジ32、ディスク33、PCI(Peripheral Components Interconnect)デバイス34、及びUSB(Universal Serial Bus)デバイス35、並びにIOモジュール用コネクタ12_1及び12_2に接続するためのコネクタ36_1及び36_2を備えている。ここで、FT制御チップ24及び31は、CPUモジュール20−IOモジュール30間の通信を制御するものである。なお、IOモジュール30は、ディスク33、PCIデバイス34、及びUSBデバイス35以外のIOデバイスを備えていても良い。
【００１５】
使用者がCPUモジュール20の２重化を選択した場合、図示の如くCPUモジュール20_1及びIOモジュール30_1を、スロットS1及びS2からそれぞれ挿入してCPUモジュール用コネクタ11_1及びIOモジュール用コネクタ12_1に接続する。また、CPUモジュール20_2をスロットS3から挿入してCPU／IOモジュール兼用コネクタ13(CPUモジュール用コネクタ11_2)に接続する。
【００１６】
一方、使用者がIOモジュール30の２重化を選択した場合には、スロットS3からIOモジュール30_2を挿入してCPU／IOモジュール兼用コネクタ13(IOモジュール用コネクタ12_2)に接続する。
【００１７】
このように、IOモジュール30_2又はCPUモジュール20_2のハードウェア部品が不要となるため、FTサーバ1を廉価に構築することができる。また、FTサーバ1の筐体は、CPUモジュール20_1及びIOモジュール30_1と、CPUモジュール20_2又はIOモジュール30_2の計３モジュールを搭載するための小型なものにすることができる。
【００１８】
[実施の形態２]
図2に示す本実施の形態に係るFTサーバ1aは、バックパネル10が増設用コネクタ14を有し、この増設用コネクタ14に別の筐体(図示せず)内に設けた増設用バックパネル10a(のコネクタ14a)を接続できるようにした点が上記の実施の形態１と異なっている。
【００１９】
従って、増設用バックパネル10aに、例えば図示の如くCPUモジュール用コネクタ11a及びIOモジュール用コネクタ12aがスロットS4及びS5内にそれぞれ位置するように設けられている場合には(すなわち、CPUモジュール20_3及びIOモジュール30_3が１組装着されている場合には)、使用者は、CPUモジュール20_1〜20_3によるCPUモジュールの３重化、又はIOモジュール30_1〜30_3によるIOモジュールの３重化を選択してFTサーバ1aを構築することができる。
【００２０】
なお、図示の例に限らず、増設用バックパネル10aには、CPUモジュール及びIOモジュールが２組以上装着されても良いし、互いに異なる数のCPUモジュール及びIOモジュールが装着されても良いし、CPUモジュール又はIOモジュールの一方が１つ以上装着されていても良い。このように、使用者の高可用性要求にも柔軟に対応することができる。
【００２１】
なお、上記の実施の形態によって本発明は限定されるものではなく、特許請求の範囲の記載に基づき、当業者によって種々の変更が可能なことは明らかである。
【図面の簡単な説明】
【００２２】
【図１】本発明に係るサーバ装置及びその筐体の実施の形態１を示したブロック図である。
【図２】本発明に係るサーバ装置及びその筐体の実施の形態２を示したブロック図である。
【符号の説明】
【００２３】
1, 1a  FTサーバ
10  バックパネル
10a  増設用バックパネル
11_1〜11_3  CPUモジュール用コネクタ
12_1〜12_3  IOモジュール用コネクタ
13  CPU／IOモジュール兼用コネクタ
14  増設用コネクタ
20_1〜20_3  CPUモジュール
21  プロセッサ
22  ノースブリッジ
23, 31  FT制御チップ
24  メモリ
25_1〜25_3, 36_1〜36_3, 14a  コネクタ
30_1〜30_3  IOモジュール
32  サウスブリッジ
33  ディスク
34  PCIデバイス
35  USBデバイス
S1〜S5  スロット
【図１】
2009187172.tif 000003
【図２】
2009187172.tif 000004